(57)【要約】【課題】クッキングシートを引き出す際に巻癖を解消し、引き出した後の丸まりを防止したクッキングシートロール用カートンを提供する。【解決手段】蓋体２００の上面板５０に、背面板４０の上縁に連接し、前方に突出する上面フラップ５５を切り離し可能に設け、本体１００の前面板２０の上縁に連接して、該上縁から内側に突出する内フラップ９０を、上面フラップ５５と互いに重なるように設けたカートンに、通常とは巻方向が逆となるようにクッキングシートロール４００を収納し、上面板５０から切り離した上面フラップ５５の先端５５ｂを内フラップ９０の下方に押し下げ、クッキングシートロール４００から引き出したシート４０１を、上面フラップ５５と内フラップ９０との間に通し、内フラップ９０の先端９０ａにおいて折り返して外部に引き出すことにより、内フラップ９０の先端９０ａにおいてシート４０１をしごいて巻癖を解消する。【選択図】図３
2016222250.tif 000002
【特許請求の範囲】
【請求項１】
底面板と、前記底面板より立ち上げられた前面板と左右の側面板と背面板と、を有し、クッキングシートロールを収納する箱形の本体と、
前記背面板の上縁に連接され前記本体の開口を覆う上面板を有し、前記背面板の上縁から傾動可能に連接された蓋体と、を備え、
前記上面板が、前記背面板の上縁から前方に向かって突出する形状に切り離し可能に形成された上面フラップを有するクッキングシートロール用カートンにおいて、
前記前面板の上縁に連接され、内側に向かって突出する内フラップを有し、
前記蓋体を閉じた状態で、前記内フラップと前記上面フラップとが、互いに重なり合うことを特徴とするクッキングシートロール用カートン。
【請求項２】
前記上面フラップが、前記背面板の上縁の中央部に設けられており、前記上面フラップと前記内フラップとが互いに重なり合う領域が、上記中央部に設けられていることを特徴とする請求項１に記載のクッキングシートロール用カートン。
【請求項３】
前記背面板の上縁に沿った方向を幅方向として、前記上面板の幅をＷ、前記上面フラップと前記内フラップとが重なる領域の幅をａとした時、０．１＜ａ／Ｗ＜０．９であることを特徴とする請求項１又は２に記載のクッキングシートロール用カートン。
【請求項４】
前記背面板の上縁に沿った方向を幅方向として、前記上面フラップの幅をＡ、前記上面板の幅をＷとした時、０．１＜Ａ／Ｗ＜０．９であることを特徴とする請求項１乃至３のいずれか１項に記載のクッキングシートロール用カートン。
【請求項５】
前記側面板の上縁に沿った方向を奥行き方向として、前記上面フラップの最大奥行きをＢ、前記内フラップの最大奥行きをＣ、前記上面板の奥行きをＤ、前記上面フラップと前記内フラップとが重なる領域の最大奥行きをｂとした時、
１０ｍｍ＜Ｂ＜Ｄ−１０ｍｍ
１５ｍｍ＜Ｃ＜Ｄ−５ｍｍ
３ｍｍ＜ｂ＜１０ｍｍであることを特徴とする請求項１乃至４のいずれか１項に記載のクッキングシートロール用カートン。
【請求項６】
前記内フラップの先端形状が前記本体の内側に向かって凸の曲線であることを特徴とする請求項１乃至５のいずれか１項に記載のクッキングシートロール用カートン。
【請求項７】
請求項１乃至６のいずれか１項に記載のクッキングシートロール用カートンに、クッキングシートが前記前面板側から前記上面板側を経て前記背面板側に向かう方向に巻かれた状態でクッキングシートロールが収納され、
前記上面フラップが前記上面板より切り離されてその先端が前記内フラップよりも下方に配置され、
前記クッキングシートロールから引き出されたクッキングシートが、前記上面フラップと前記内フラップとの間を通過した後、前記内フラップの先端で折り返して、前記内フラップと前記上面板との間を通過して外部に引き出されていることを特徴とする包装体。
【請求項８】
請求項１乃至６のいずれか１項に記載のクッキングシートロール用カートンにクッキングシートロール体を収納してなり、収納された前記クッキングシートロールにおいて、クッキングシートが前記前面板側から前記上面板側を経て前記背面板側に向かう方向に巻かれていることを特徴とする包装体。
【発明の詳細な説明】
【技術分野】
【０００１】
本発明は、長尺のクッキングシートを巻いてなるクッキングシートロールをカートンに収納してなり、所望の長さのクッキングシートを引き出して使用する包装体と、該包装体に用いられるカートンに関する。
【背景技術】
【０００２】
従来、ラップフィルムやクッキングシート、アルミホイルなどのシート類の包装材としては、長尺のシートを捲回したロールを箱形の本体内に収納し、該ロールから所望の長さのシートを引き出して切断するカートンが知られている。そして、係るカートンに工夫をこらすことで、易切断性や、シートの巻き戻り防止などの効果を高めた提案が種々提案されている。
【０００３】
例えば、特許文献１には、蓋の開閉部の中央に、背面側を弦部として傾動する櫛形状部を設けることにより、シートを引き出す際に収納されたロールが飛び出すのを防止し、切断性を高めたカートンが開示されている。
【先行技術文献】
【特許文献】
【０００４】
【特許文献１】実開昭６０−１２９３２９号公報
【発明の概要】
【発明が解決しようとする課題】
【０００５】
上記したシート類のうち、クッキングシートは、薄い紙の表面にシリコーン樹脂やフッ素系樹脂などの樹脂がコーティングされているため、ロール状に捲回されてカートンに収納されているうちに巻癖がついてしまう。そのため、引き出されたシートが丸まってしまい、食材を置きにくくなるなど扱いにくくなるため、ロールの巻方向とは逆方向に丸めて巻癖を解消する必要があり、使用の際に手間がかかるという問題があった。
【０００６】
本発明の課題は、クッキングシートを引き出す際に巻癖を解消し、引き出した後の丸まりを防止したクッキングシートロール用カートン、及び該カートンにクッキングシートロールを収納した包装体を提供することにある。
【課題を解決するための手段】
【０００７】
本発明の第一は、底面板と、前記底面板より立ち上げられた前面板と左右の側面板と背面板と、を有し、クッキングシートロールを収納する箱形の本体と、
前記背面板の上縁に連接され前記本体の開口を覆う上面板を有し、前記背面板の上縁から傾動可能に連接された蓋体と、を備え、
前記上面板が、前記背面板の上縁から前方に向かって突出する形状に切り離し可能に形成された上面フラップを有するクッキングシートロール用カートンにおいて、
前記前面板の上縁に連接され、内側に向かって突出する内フラップを有し、
前記蓋体を閉じた状態で、前記内フラップと前記上面フラップとが、互いに重なり合うことを特徴とする。
【０００８】
上記本発明のクッキングシートロール用カートンにおいては、下記の構成を好ましい態様として含む。
前記上面フラップが、前記背面板の上縁の中央部に設けられており、前記上面フラップと前記内フラップとが互いに重なり合う領域が、上記中央部に設けられている。
前記背面板の上縁に沿った方向を幅方向として、前記上面板の幅をＷ、前記上面フラップと前記内フラップとが重なる領域の幅をａとした時、０．１＜ａ／Ｗ＜０．９である。
前記背面板の上縁に沿った方向を幅方向として、前記上面フラップの幅をＡ、前記上面板の幅をＷとした時、０．１＜Ａ／Ｗ＜０．９である。
前記側面板の上縁に沿った方向を奥行き方向として、前記上面フラップの最大奥行きをＢ、前記内フラップの最大奥行きをＣ、前記上面板の奥行きをＤ、前記上面フラップと前記内フラップとが重なる領域の最大奥行きをｂとした時、
１０ｍｍ＜Ｂ＜Ｄ−１０ｍｍ
１５ｍｍ＜Ｃ＜Ｄ−５ｍｍ
３ｍｍ＜ｂ＜１０ｍｍである。
前記内フラップの先端形状が前記箱体の内側に向かって凸の曲線である。
【０００９】
本発明の第二は、上記本発明第一のクッキングシートロール用カートンに、クッキングシートが前記前面板側から前記上面板側を経て前記背面板側に向かう方向に巻かれた状態でクッキングシートロールが収納され、
前記上面フラップが前記上面板より切り離されてその先端が前記内フラップよりも下方に配置され、
前記クッキングシートロールから引き出されたクッキングシートが、前記上面フラップと前記内フラップとの間を通過した後、前記内フラップの先端で折り返して、前記内フラップと前記上面板との間を通過して外部に引き出されていることを特徴とする包装体である。
【００１０】
本発明の第三は、上記本発明第一のクッキングシートロール用カートンにクッキングシートロール体を収納してなり、収納された前記クッキングシートロールにおいて、クッキングシートが前記前面板側から前記上面板側を経て前記背面板側に向かう方向に巻かれていることを特徴とする包装体である。
【発明の効果】
【００１１】
本発明第一のクッキングシートロール用カートンは、互いに重なり合う内フラップと上面フラップとを備えていることから、クッキングシートロールをシートの巻方向が通常とは逆方向となるように収納し、上面フラップを上面板から切り離してその先端を内フラップの下方に押し下げ、本発明第二の包装体とすることにより、クッキングシートが引き出される経路において、上面フラップの先端によってクッキングシートロールの巻方向とは逆方向にクッキングシートがしごかれ、巻癖が解消された状態でクッキングシートを引き出すことができる。よって、従来のように引き出したクッキングシートの巻癖を直す作業が不要となる。
【００１２】
また、本発明においては、上面フラップが内フラップを下方から押し上げるため、蓋体をしっかりと閉めていなくても、内フラップの先端とクッキングシートとが良好に接触してクッキングシートがしごかれ、巻癖が解消される。また、内フラップと上面フラップとでクッキングシートが挟持されているため、切断時にクッキングシートが滑り出すことがなく、所望の位置で良好に切断することができると同時に、切断後のシートの巻戻りが防止され、次回の引き出しが容易になる。また、内フラップと上面フラップとによってクッキングシートを引き出す際のクッキングシートロールの飛び出しが防止される。よって本発明の包装体は取り扱いが容易である。
【００１３】
本発明第三の包装体は、クッキングシートの巻方向が通常とは逆方向になるようにクッキングシートロールが本発明第一のクッキングシートロール用カートンに収納されているため、係るカートンを開封した際に、クッキングシートの巻癖を解消するためにクッキングシートロールを入れ直す必要がなく、直ちに使用することができる。
【図面の簡単な説明】
【００１４】
【図１】本発明のクッキングシートロール用カートンの好ましい実施形態の展開図である。
【図２】図１のクッキングシートロール用カートンにクッキングシートロールを収納した包装体を開封する様子を示した斜視図である。
【図３】図１のクッキングシートロール用カートンにクッキングシートロールを収納した包装体からクッキングシートを引き出す状態の幅方向中央部における断面模式図である。
【図４】図１のクッキングシートロール用カートンにクッキングシートロールを収納した包装体からクッキングシートを引き出す状態を示す斜視図である。
【図５】図１のクッキングシートロール用カートンにクッキングシートロールを収納した包装体において上面フラップを上面板から切り離した状態を、本体の開口部の上方から見た状態を示す図である。
【図６】本発明のクッキングシートロール用カートンの他の実施形態の展開図である。
【図７】本発明のクッキングシートロール用カートンの他の実施形態の展開図である。
【図８】図１のクッキングシートロール用カートンの上面フラップの切断線の一方の端部近傍の拡大図である。
【発明を実施するための形態】
【００１５】
以下、図面を参照して本発明の実施形態を説明するが、本発明は下記実施形態に限定されない。また、以下に参照する図面において、同じ符号は同様の構成要素を示す。尚、図中の一点鎖線は折り部を示す。また、本発明においてカートンや上面板、前面板、底面板、背面板の「幅方向」及び「左右方向」とは、クッキングシートロール用カートンに収納したクッキングシートロールの幅方向であり、図１における紙面上下方向を指す。また、「奥行き方向」とは、上面板及び底面板における、上記幅方向に直行する方向である。
【００１６】
本発明に係るクッキングシートロール用カートン（以下、「カートン」と記す）を図面を用いて詳細に説明する。
【００１７】
本発明のカートンに収納されるクッキングシートロール（以下、「ロール」と記す）は、長尺のクッキングシート（以下、「シート」と記す）を円筒形の芯材に巻き取って、或いは芯材を用いずに円筒形に巻き取って捲回ロールとし、本発明のカートン内に収納される。
【００１８】
本発明のカートンは、本体１００と、蓋体２００とを備えており、図１に示すように、１枚のシート材から切り出し、折り曲げて所定の箇所を接着剤等により固定することにより成形することができる。
【００１９】
本発明のカートンに用いられるシート材としては、通常、弾性、柔軟性を有する紙であり、表面に適宜樹脂層をコーティングしたものなども好ましく用いられる。
【００２０】
図１に示すように、本体１００は底面板１０と、該底面板１０の四方にそれぞれ折り部を介して連なる前面板２０と左右（図１においては紙面上下方向）の側面板３０ａ，３０ｂと背面板４０とを有している。そして、前面板２０と側面板３０ａ，３０ｂと背面板４０とを、それぞれ折り部を介して９０°に折り曲げて底面板１０より立ち上げることにより、箱形の本体１００が形成される。本例においては、前面板２０の左右に折り部を介して補助片２１ａ，２１ｂを、背面板４０の左右に折り部を介して補助片４１ａ，４１ｂを、それぞれ備えている。よって、前面板２０、側面板３０ａ，３０ｂ、背面板４０をそれぞれ底面板１０から立ち上げた際には、係る補助片２１ａと４１ａとをそれぞれ前面板２０と背面板４０とから折り部を介して９０°に折り曲げて側面板３０ａの内面に、補助片２１ｂと４１ｂとをそれぞれ前面板２０と背面板４０とから折り部を介して９０°に折り曲げて側面板３０ｂの内面に、それぞれ、接着剤を介して貼り付けて固定することができる。
【００２１】
蓋体２００は、本体１００の背面板４０の上縁４２に折り部を介して連なる上面板５０を有している。本例では蓋体２００はさらに、上面板５０の前縁に折り部を介して連なる懸垂板６０を有している。よって、上面板５０を背面板４０から折り部を介して折り曲げ、さらに懸垂板６０を上面板５０から折り部を介して９０°折り曲げて固定することにより、懸垂板６０と上面板５０との境界である折り部の角度が９０°に固定された蓋体２００が成形される。本例では上面板５０の左右に折り部を介して補助片５１ａ，５１ｂを、懸垂板６０の左右に補助片６１ａ，６１ｂを、それぞれ備えている。よって補助片５１ａ，５１ｂを上面板５０から折り部を介して９０°に折り曲げ、同様に補助片６１ａ，６１ｂを懸垂板６０から折り部を介して９０°に折り曲げ、補助片５１ａと６１ａ、５１ｂと６１ｂをそれぞれ貼り合わせることで容易に上記蓋体２００を成形することができる。
【００２２】
本例において、蓋体２００には、図２〜図４に示すようにシートを切断するための切断刃３００が取り付けられており、該切断刃３００は、懸垂板６０の下端６０ａから先端が突出するように懸垂板６０の内側に取り付けられる。また、切断刃３００は金属、樹脂、紙から別途形成され、所定の位置に取り付けられる。
【００２３】
本例においては、図１に示すように、懸垂板６０の下端６０ａにミシン目８０を介して該懸垂板６０に連なる開封板７０が配置されており、該開封板７０を本体１００の前面板２０に接着剤等によって貼付することで蓋体２００を本体１００に固定する。この時、懸垂板６０の内側に取り付けられた切断刃３００の先端は開封板７０によって覆われ、開封時には図２に示すように、ミシン目８０において開封板７０を切り離すことによって蓋体２００は開放され、切断刃３００の先端が露出してシートの切断が可能となる。本例では、懸垂板６０と開封板７０との高さの合計Ｈ４と背面板４０の高さＨ２とが等しく、収納カートンを組み立てた際に、開封板７０の下端が前面板２０の下端に一致する。
【００２４】
本例において、前面板２０の高さＨ１と背面板４０の高さＨ２とは、互いに等しくても、シート材の厚さ分を調整するため互いに異なっていても良い。
【００２５】
本発明のカートンは、上面板５０に上面フラップ５５を設けたこと、前面板２０の上縁２２に連接する内フラップ９０を設けたこと、さらには、上面フラップ５５と内フラップ９０とが互いに重なり合うことを特徴とする。
【００２６】
上面フラップ５５は、図１に示すように、背面板４０の上縁４２から前方に向かって突出する形状に切り離し可能に形成される。具体的には、ニック加工或いはミシン目加工によって破線状に切断しておき、使用時に指で押し下げることで接続部分を切断して上面板５０から切り離す。図１中の５５ａはニック加工或いはミシン目加工による切断線である。
【００２７】
図３は、図１のカートンにロールを収納した包装体において、ロールからシートを引き出した状態での、カートンの幅方向の中央部における、奥行き方向（側面板３０ａの上縁に沿った方向）に沿った断面模式図である。本発明のカートンには、図３に示すように、ロール４００を通常とは巻方向が逆方向となるように収納する。通常のラップフィルムやアルミホイルなどのロールを収納する際は、シート４０１が背面板４０側から上面板５０側を経て前面板２０側に向かう方向に巻かれた状態で収納されるが、本発明ではこの逆である。具体的には、図３に示すように、シート４０１が、前面板２０側から上面板５０側を経て背面板４０側に向かう方向に巻かれた状態でロール４００を本体１００に収納する。
【００２８】
上記のように、特定の巻方向で本体１００に収納したロール４００からシート４０１を引き出して使用する際には、先ず、上面フラップ５５を上面板５０から切り離し、図４に示すように、上面フラップ５５の先端５５ｂが内フラップ９０の下方に位置するように配置する。この時、後述するように、内フラップ９０と上面フラップ５５の重なり合う領域の奥行きが適当な大きさである場合には、上面フラップ５５を押し下げるだけで、上面フラップ５５の先端５５ｂが内フラップ９０を押し下げて内フラップ９０の下方に回り込み、図４に示した状態となる。尚、図４においては、便宜上、ロール４００及びシート４０１の図示を省略する。
【００２９】
次に、図３に示すように、ロール４００から引き出したシート４０１を、上面フラップ５５と内フラップ９０との間を通した後、内フラップ９０の先端９０ａで折り返して、内フラップ９０と上面板５０との間を通し、さらに本例では、懸垂板６０と前面板２０との間を通して外部に引き出す。そして、懸垂板６０の先端６０ａに取り付けられた切断刃３００によって引き出したシート４００を切断する。
【００３０】
シート４０１は図３に示した上記経路を通って引き出される際に、内フラップ９０の先端９０ａにおいてしごかれるが、この時、ロール４００の表側に位置していたシート４０１の表面側がしごかれる。即ち、シート４０１はロール４００の巻方向とは逆方向にしごかれるため、巻癖が解消される。本発明においては、内フラップ９０に重なる上面フラップ５５が設けられており、該上面フラップ５５が内フラップ９０を下方から押し上げている。そのため、蓋体２００をしっかりと閉めていなくても、シート４０１が上面フラップ５５によって内フラップ９０に押しつけられるため、内フラップ９０の先端９０ａにシート４０１が良好に接触してしごかれる。また、内フラップ９０と上面フラップ５５とが互いに重なり合ってシート４０１を挟持していることから、蓋体２００がしっかり閉まっていない状態で放置しても、シート４０１のロール４００への巻戻りが抑制される。よって、次回に使用する際にも、シート４０１を内フラップ９０の下方から引き出す手間が省ける。
【００３１】
尚、本発明においては、上記したように、シート４０１の巻方向が通常とは逆方向となるようにロール４００が本体に収納されるため、蓋体２００をしっかり閉めていなくても、内フラップ９０の下方に配置した上面フラップ５５がシート４０１によって押し上げられて内フラップ９０の上方に戻る恐れがない。
【００３２】
本発明において、上記した上面フラップ５５と内フラップ９０によってシート４０１の巻癖を解消し、シート４０１の巻戻りを防止する作用を得る上で好ましい範囲について説明する。
【００３３】
図５に、図４の本体２００の開口部を上方から見た状態を示す。尚、図５において上面フラップ５５以外の蓋体１００の構成部材及びロール４００は図示を省略する。
【００３４】
上面フラップ５５は、上面板５０の幅方向の中央部に設け、上面フラップ５５と内フラップ９０との重なり領域をカートンの幅方向の中央部に設けることにより、カートンの幅方向のいずれの端部を手前に向けて持っても、同じように使用することができ、また、シート４０１の巻癖解消効果が幅方向の中央部を中心に両側に等しく現れるため、引き出したシート４０１の見栄えが良く、好ましい。
【００３５】
図５に示すように、本発明においては、上面フラップ５５と内フラップ９０とが、互いに重なっている。ここで、上面フラップ５５の幅をＡ、カートンの幅（底面板１０、前面板２０、背面板４０、上面板５０の幅）をＷ、カートンの奥行き（底面板１０、上面板５０の奥行き）をＤ、上面フラップ５５の最大奥行きをＢ、内フラップ９０の最大奥行きをＣ、上面フラップ５５と内フラップ９０の重なり領域における最大幅をａ、最大奥行きをｂとする。
【００３６】
上面フラップ５５と内フラップ９０とが重なり合っていても、重なり領域の奥行きｂが小さすぎると、内フラップ９０の下方に位置した上面フラップ５５が内フラップ９０の上方に戻りやすくなり、大きすぎると、上面フラップ５５を押し下げるだけでは上面フラップ５５を内フラップ９０の下方に配置させることが難しくなるため、いずれも好ましくない。また、重なり領域の幅ａが小さすぎると、巻癖解消効果が得られにくくなり、大きすぎると後述するように上面フラップ５５の幅Ａを大きくしなければならず、上面板５０と背面板４０との連接領域の長さが短くなってしまい、いずれも好ましくない。よって、上面フラップ５５と内フラップ９０との重なり領域の奥行きｂは、３ｍｍ＜ｂ＜１０ｍｍが好ましく、幅ａは０．１＜ａ／Ｗ＜０．９が好ましい。
【００３７】
上記の好ましい重なり領域の範囲において、内フラップ９０及び上面フラップ５５の大きさや形状を適宜選択すればよい。内フラップ９０及び上面フラップ５５のそれぞれの最大奥行きＢ，Ｃが小さすぎると、上記重なり領域の最大奥行きｂを十分にとることができなくなる恐れがある。また、内フラップ９０の奥行きＣが大きすぎると、シート４０１の先端を引き出す際に引き出しにくくなるため、好ましくない。よって、１０ｍｍ＜Ｂ＜Ｄ−１０ｍｍ、１５ｍｍ＜Ｃ＜Ｄ−５ｍｍが好ましい。
【００３８】
上面フラップ５５の幅Ａは、小さすぎると幅方向の両端において、内フラップ９０の先端９０ａにシート４０１が十分に接触せずに、巻癖が解消されにくくなる恐れがある。また、上面フラップ５５の幅Ａが大きすぎると、上面板５０の背面板４０との連接領域の幅が短くなり、強度が低下するため好ましくない。よって、０．１＜Ａ／Ｗ＜０．９が好ましい。
【００３９】
尚、内フラップ９０の先端９０ａの形状は、シート４０１にしごいた痕跡を残さず見栄えを良くする上で、本体２００の内側に向かって凸の曲線であることが好ましい。係る先端９０ａが直線であっても、巻癖の解消効果は得られるが、その場合は、図６に示すように、幅方向の両端をＲ加工して角部を持たせないことで、角部によってシート４０１に奥行き方向の皺が発生するのを防止することができる。また、本発明においては、図７に示すように、内フラップ９０の幅方向の中央のみ突出させて先端９０ａを曲線としても良い。図１，図６，図７において、内フラップ９０は本体１００の幅方向全体にわたって設けているが、本発明の効果が得られる範囲で、幅方向に部分的に設けてもかまわない。但し、前記したように、内フラップ９０との重なり領域が幅方向の中央部となるように、幅方向の中央部に設けることが望ましい。また、幅方向の長さにおいては、内面フラップ５５と同様に、カートンの幅Ｗに対して、０．１Ｗを超える長さに形成することが望ましい。
【００４０】
また、図８に示すように、上面フラップ５５の切断線５５ａの両端部５５ｃを、上面板５０内において、互いに近づく方向に湾曲させることによって、上面フラップ５５を上面板５０から切り離した後に、切断線５５ａの両端部から背面板４０が下方に向かって裂けるのを防止することができ、好ましい。
【００４１】
図１には、切断刃３００を懸垂板６０の下端に取り付けた形態を示したが、本発明では係る構成に限定されない。例えば、底面板１０の前縁から切断刃３００の先端が突出するように底面板１０の外側に取り付けた形態も本発明では適用される。係る構成のカートンの展開図は図１とほぼ同様であるが、懸垂板６０と開封板７０とを合わせた高さＨ４を、前面板２０の高さＨ１よりも若干高くし、底面板１０に取り付けた切断刃３００の先端を開封板７０の下端で覆って固定することにより、開封するまで切断刃３００の先端が露出しないように保護することができる。
【符号の説明】
【００４２】
１０：底面板、２０：前面板、２１ａ，２１ｂ：補助片、２２：前面板の上縁、３０ａ，３０ｂ：側面板、３１ａ，３１ｂ：補助片、４０：背面板、４１ａ，４１ｂ：補助片、４２：背面板の上縁、５０：上面板、５１ａ，５１ｂ：補助片、５５：上面フラップ、５５ａ：切断線、５５ｂ：上面フラップの先端、５５ｃ：切断線の端部、６０：懸垂板、６０ａ：懸垂板の下端、６１ａ，６１ｂ：補助片、７０：開封板、８０：ミシン目、９０：内フラップ、９０ａ：内フラップの先端、１００：本体、２００：蓋体、３００：切断刃、４００：クッキングシートロール、４０１：クッキングシート
【図１】
2016222250.tif 000003
【図２】
2016222250.tif 000004
【図３】
2016222250.tif 000005
【図４】
2016222250.tif 000006
【図５】
2016222250.tif 000007
【図６】
2016222250.tif 000008
【図７】
2016222250.tif 000009
【図８】
2016222250.tif 000010